(57)【要約】      （修正有）【課題】騒音の隔離効果が良好でコストが安く、取り付けも容易な消費者の購買意欲をそそる室内用空調装置を提供する。【解決手段】室内に設置された室内装置１０１と、室外に設置された室外装置１０２と、２つの連結装置１０４等とからなり、連結装置は建物の壁部１１を貫通し、前記両装置を支持、及び連結するようにし、室内装置と室外装置を各々壁部の内側面と外側面に取り付け、連結装置内の中空管路状の構体は、室内外両装置間の冷媒線路と、電気配線との通路として機能し、連結装置自身は室内外両装置の重量を支持する支持物となるように、室内用空気調節装置を構成する。【選択図】図１Ｂ
0003150782.tif 000002
【実用新案登録請求の範囲】
【請求項１】
室内装置と室外装置に分けて設置された、室内用空気調節装置に於いて、
室内に設置された室内装置と、
室外に設置された室外装置と、
複数の連結装置とからなり、
前記連結装置は建物の壁を貫通し、前記複数の連結装置を支持、また連結するように設けられ、前記室内装置は壁の内側面、前記室外装置は壁の外側面に取り付けられた、室内用空気調節装置。
【請求項２】
前記室内装置には、少なくとも１つの制御部、１つの蒸発器、１つの蒸発器ファン、１つのファン・モータ、１つの冷媒線路と、電気配線とを含んでいる、請求項１に記載の室内用空気調節装置。
【請求項３】
前記室外装置には、少なくとも１つの圧縮機、１つの凝縮器、１つの凝縮器ファン、１つのファン・モータ、１つの冷媒線路と、電気配線とを含んでいる、請求項１に記載の室内用空気調節装置。  
【請求項４】
前記複数の連結装置の各々は、中空の小型管路からなる通路を形成していて、前記室内装置と前記室外装置間の冷媒線路と電気配線を連絡する、請求項１に記載の室内用空気調節装置。
【請求項５】
前記室内装置の冷媒線路、電気配線は前記連結装置の通路を経て、前記室外装置のそれらと連絡している、請求項１に記載の室内用空気調節装置。
【請求項６】
前記複数の連結装置の各々には、インスタント接続器と、電気用コネクタが附設され、前記室内装置の冷媒線路と電気配線を前記室外装置の冷媒線路と電気配線に接続する、請求項１に記載の室内用空気調節装置。
【請求項７】
前記複数の連結装置は壁部を貫通する際、ガイド用の１つのカフ部材に被覆されている、請求項１に記載の室内用空気調節装置。
【請求項８】
前記カフ部材は１つの面板と、数個の前記面板から伸出した管状構体を含み、前記複数の連結装置は前記管状構体より前記カフ部材を貫通し、前記室内装置と前記室外装置を連結して組立てる、請求項８に記載の室内用空気調節装置。
【請求項９】
前記室外装置は１つの着脱自在ハウジングを含み、取り外して、前記室内装置の制御部や蒸発器などを連結装置を介して、前記室外装置の圧縮器や凝縮器と接続した後、前記ハウジングは前記室外装置を覆蓋して保護する、請求項１に記載の室内用空気調節装置。
【考案の詳細な説明】
【技術分野】
【０００１】
本考案は室内用空気調節装置（以下「室内用空調装置」と略称）に関するもので、特に簡単に取り付けられ、騒音の小さい室内用空調装置に関する。
【背景技術】
【０００２】
従来の室内用空調装置はウィンド型、分離型、及び中央系統型などに大別される。ウィンド型には制御部、蒸発器、凝縮器、及び圧縮機が含まれ、全体が１つのケーシングに包まれている。
ウィンド型は取り付けが容易で、使用者自身が適宜の場所にＤＩＹ（セルフ）で取り付けられるから便利であるが、圧縮機や凝縮器の騒音が大きく、部屋の安静が保てない。
分離型は室内ユニットと室外ユニットに分けられ、室内ユニットには制御部と蒸発器とが含まれ、室外ユニットには凝縮器と圧縮機とが含まれていて、騒音が低いという優点がある。その原因となる圧縮機と凝縮器とが室外に分離して取り付けられているためである。だが分離の欠点は取り付けが難しいため、その作業に専門の技術者が必要となり、人工費用が高い地区では普及できなくなる。
中央系統型に至っては室内が安静ではあるが、コストが高く、電力消費も大きい。以上の従来の方式にはまだまだ改善すべき余地がある。
【０００３】
上述の欠点を改善せんがため、本願の考案者は長年苦心研鑽の結果、騒音、コストや取り付け上の従来の問題点を解決できる、新しい室内用空調装置の開発の成功を見るに至ったのである。
【考案の開示】
【考案が解決しようとする課題】
【０００４】
本願は騒音の隔離効果が良好で、コストが安く、取り付けも容易で消費者の購買意欲をそそる、室内用空調装置を提供すること目的とする。
【課題を解決するための手段】
【０００５】
上記の目的を達成するため、本考案に係る室内用空調装置は１組の室内装置と、２つの連結装置と、１組の室外装置とからなる。
【０００６】
室内装置は１つの制御部と、１つの蒸発器とを含み、室外装置は１つの圧縮機と、１つの凝縮器とを含み、連結装置で室内装置と接続されている。２つの連結装置は中空の管路状に構成され、室内装置の背部の面板に固定され、壁部を貫通した後、室外装置に連結される。連結装置の中空管路状の構体は、室内外両装置間の冷媒線路と、電気配線との通路として機能し、また連結装置は室内外両装置の支持物ともなる。
【０００７】
このように連結装置を介して、室内装置と室外装置は１つの完成した空調装置となる。取り付けの際、建物の壁部に２つの小さい貫通穴を開け、連結装置を通し、室内外の両装置を連結し、室内装置は内側（建物内）の壁面、室外装置は外側（建物外）の壁面に各々取り付け、支持する。それだけで室外装置の圧縮機と凝縮器の騒音は壁部で室外に隔絶され、室内の安静が保てるのである。
【考案の効果】
【０００８】
本考案に係る室内用空調装置は通常の分離式空調装置に比べて、下記の優れた利点がある。
（１）製品のコストが安く、取り付けが容易で構造も簡単ある。
（２）室内装置に予じめ冷媒を注入できて、施工時の労力が省ける。
（３）圧縮機が室外にあるので通常のウィンド型空調装置に比べ、騒音が小さく、安静である。
（４）大、小色々な容量のものを製作できるので、大、小色々の部屋に取り付けられ、応用範囲が安定して広く、中央系統型の空調設備よりも取り付け費用と、エネルギー費用を節減できる。
【図面の簡単な説明】
【０００９】
【図１Ａ】本考案に係る室内用空調装置全体の構成図である。
【図１Ｂ】本考案に係る室内用空調装置全体の側視図である。
【図２Ａ】本考案に係る室内用空調装置全体の他の１つの構成図である。
【図２Ｂ】本考案に係る室内用空調装置全体の他の１つの側視図である。
【図３】本考案に係る室内用空調装置の部品組立図である。
【図４】本考案に係る室内用空調装置の部品組立図である。
【図５】本考案に係る室内用空調装置の室内装置と、連結装置の部品組立図である。
【図６】本考案に係る室内用空調装置の連結装置とカフ部材の概略図である。
【図７】本考案に係る室内用空調装置の加強された支持と連結図である。
【考案を実施するための最良の形態】
【００１０】
図１Ａと図１Ｂは本考案に係る室内用空調装置全体の構成図である。この構成には以下に示す部品を含んでいる。  
【００１１】
室内用空調装置１０にはさらに室内装置１０１と、室外装置１０２と、２つの連結装置１０３、１０４が含まれる。室内装置１０１は壁１１の室内側、室外装置１０２は壁１１の外側にそれぞれ取り付けられ、連結装置１０３、１０４は壁１１を貫通して室外装置１０２と室内装置１０１を連結するのである。
【００１２】
以上の方式で室内に固定された室内装置１０１には１組の制御部と、１つの蒸発器と、１つの蒸発器ファンと１つのファン・モータと、１つの冷媒線路（冷媒吸入線路と毛細管を含む）と、電気配線が含まれている。
【００１３】
室外装置１０２の背部には複数の２個１組の掛け穴１０５１／１０５２、１０６１／１０６２、１０７１／１０７２があり、連結装置１０３、１０４を任意に１組の掛け穴に通して、室外装置１０２をその上に安置するのである。室外装置１０２には１つの圧縮機と、１つの凝縮器と、１つ凝縮器ファンとファン・モータと、１つの冷媒線路（冷媒吸入線路と、冷媒排出線路と、毛細管）と、電気配線が含まれている。
【００１４】
連結装置１０３、１０４は壁１１を貫通してその上に、室外装置１０１と、室外装置１０２を安置、かつ支持する機能を持っている。室内装置１０１は壁１１の内側に、室外装置１０２は壁１１の外側にそれぞれ取り付け、両者の重量は連結装置１０３、１０４に負担させるのである。壁１１を貫通した連結装置１０３、１０４の構成した中空管状体は、室内外両装置１０１、１０２内の冷媒線路と電気配線（室内装置１０１の冷媒線路、電気配線、室外装置１０２の冷媒線路、電気配線）の連絡通路に使用される。そのため連結装置１０３、１０４は室内外両装置１０１、１０２の支持のみならず、両者の連合運転上欠くべからざる装置となる。
【００１５】
室内装置１０１のベースは、室外装置１０２のそれよりも高く取り付け、室内装置１０１が産出する凝固水（蒸発器表面の凝固水）を連結装置１０３、１０４を経て室外装置１０２に送り、その凝縮器ファンで蒸発、或いは排水管から放出する。それ故本考案に係る空調装置では、凝固水排出用のポンプは不要である。
【００１６】
室外装置１０２の背部面板上１１０上にも数組（数対）の掛け穴１０５１／１０５２、１０６１／１０６２、１０７１／１０７２（図１Ａでは３組）があり、任意の１組を利用して室外装置１０２を選択した高さで連結装置１０３、１０４に取り付ける。管状の連結装置１０３、１０４の表面にはスレードが刻まれ、ナットで室外装置１０２を連結装置１０３、１０４に締め付け、更に室外装置１０２の背部面板１１０を壁面に押し付け、面板上に開設された数個の螺孔１０８、１０９をねじで締め付け、室外装置１０２の取り付けを一層堅固にするのである。
【００１７】
図２Ａと図２Ｂも本考案に係る室内用空調装置全体の構成図である。図１Ａと図１Ｂと異なる所は、図２Ａと図２Ｂの室外装置１０２は大容量の機種であるので、掛け穴１０５１／１０５２の位置は、取り付け状態をより安定にするため、図１Ａと図１Ｂの位置よりも高くしている。  
【００１８】
図３と図４は本考案に係る室内用空調装置の部品組立図である。この室内用空調装置１の主要部品は下記のものを含んでいる。
【００１９】
ウィンド型空調装置１０。ウィンド型空調装置１０は更に室内装置１０１と、室外装置１０２と、２つの連結装置１０３、１０４を含んでいる。
【００２０】
室内装置１０１。室内装置１０１は室内に設けられ、更に制御部３０１と、１つの蒸発器３０２と、１つの蒸発器ファンと、１つのファン・モータと、１つの冷媒線路（冷媒吸入線路３１０と毛細管３１２）と、電気配線を含んでいる。制御部３０１の電気リード線は室内のコンセントに延伸して挿しこまれ、本装置のためわざわざ、室内の電気配線を変更する必要はない。
【００２１】
蒸発器３０２は室内装置１０１の内部に設けられ、空調される室内の空気の接触により、凝固した水分は室内装置１０１の底に集結し、連結装置１０３、１０４の管状体内の通路から室外装置１０２に至り、その凝縮器３０４により蒸発、または液状で室外の排水管から放出される。
【００２２】
室外装置１０２。室外装置１０２は室外に設けられ、更に１つの圧縮機３０３と１つの凝縮器３０４と、１つの凝縮器ファンと、１つのファン・モータと、１つの冷媒線路（冷媒吸入線路３１０３、冷媒排出線路４０１と毛細管３１２３）と、電気配線３１１３とを含んでいる。毛細管３１２３と電気配線３１１３の材質は軟らかく、冷媒吸入線路３１０３の材質はやや硬いが、長く延伸されて彎曲され、その管端のインスタント接続器３１０２を容易に、連結装置１０４の後端に引き込めるようにしている。また冷媒吸入線路３１０３と、毛細管３１２３が取り付け作業中にキンクを起こすことがないよう、プラスチック表面塗装のある軟金属管で被覆する。これはまた隔熱の効果がある。
【００２３】
凝縮器３０４。凝縮器３０４は室外装置１０２内部に設けられ、室外装置１０２の圧縮機３０３が気態の冷媒を圧縮した後、冷媒排送線路４０１を経て、上方から凝縮器３０４に送り込まれ、凝縮器３０４の周囲の空気に冷却され、凝固して液体冷媒となり、凝縮器３０４の底部から毛細管３１２３に入り、更に連結装置１０３を経由し、室内装置１０１の毛細管３１２に至り、蒸発器３０２の底部から蒸発器３０２に進入する。ここで室内の熱を吸収し、液態の冷媒は蒸発して気態となり、蒸発器３０２の上方から冷媒吸入線路３１０、連結装置１０４、冷媒吸入線路３１０３を経て圧縮機３０３に入り、次のサイクルの運転を開始するのである。
【００２４】
着脱自在のハウジング３３０。着脱自在のハウジング３３０は細い通風孔がある箱状をなし、着脱自在に室外装置１０２を外側から覆うようにしている。着脱が容易であるため、空調装置の部品、線路や管路の取り付け、保養の際非常に便利である。連結装置１０３、１０４で室内装置１０１と室外装置１０２を互いに連結する際、ハウジング３３０を室外装置１０２から取り外せば作業がしやすくなる。ハウジング３３０はまた、平常室外装置１０２を保護する役割がある。
【００２５】
２つの連結装置１０３、１０４。２つの連結装置１０３、１０４は壁１１を貫通して設置され、室内装置１０１と室外装置１０２を連結、支持して１組の完全な空調装置とする。連結装置１０３、１０４は室内装置１０１の背部面板３１５に固定され、室外装置１０２の背部面板１１０上には、連結装置１０３、１０４に対応した。複数の掛け穴１０５１／１０５２、１０６１／１０６２、１０７１・１０７２が開設されていて、室外装置１０２を連結装置１０３、１０４に取り付けられるようにしている。
【００２６】
連結装置１０３、１０４は室外装置１０２の背部面板１１０の掛け穴１０５１、１０５２を貫通して、室外装置１０２の重量を支持する。また室内装置１０１の電気配線３１１は連結装置１０３を経て室外装置１０２の電気配線３１１３と接続して、室外装置１０２の圧縮機３０３などに、電気を供給するのである。
【００２７】
連結装置１０４には１つのインスタント接続器３１０１が、蒸発器３０２から、延長した冷媒吸入線路３１０の末端に取り付けられている。また、連結装置１０３にも１つのインスタント接続器３１２１が蒸発器３０２から延長した毛細管３１２の末端に取り付けられている。更に連結装置１０３には電気用のコネクタ３１１１が、制御部３０１から延長した電気配線３１１の末端に取り付けられている。そして連結装置１０３、１０４のアクセサリーの中、インスタント接続器３１０１は、冷媒吸入線路３１０３末端のインスタント接続器３１０２と接続し、インスタント接続器３１２１は、毛細管３１２３末端のインスタント接続器３１２２と接続するものである。そして電気用のコネクタ３１１１は電気配線３１１３末端の電気用プラグ３１１２と接続する。連結装置１０３、１０４は室外装置１０２の背部面板上１１０にある、任意１組の掛け穴を貫通した後、ナット３１３、３１４で両連結装置１０３、１０４を外端から締め付け、背部面板１１０を壁１１にしっかり押し付けて固定するのである。
【００２８】
図５は本考案に係る室内用空調装置の室内装置と、連結装置の部品組立図である。同図に示すように連結装置１０３、１０４は水管状の外形を呈し、金属やその他適当な材料で構成する。両装置は一定な間隔を保って、平行に、室内装置１０１の背部下方に固定されている。室内装置１０１の背部面板上には連結装置１０３、１０４に対応して通孔が穿がたれ、室内装置１０１の冷媒線路、電気配線や凝固水が連結装置１０３、１０４の管状通路と連通できるようになっている。また連結装置１０３、１０４にはスレードが刻まれてあり、ナット３１３、３１４で室外装置１０２を締め付けて固定する。また本装置の運送中、円柱状の栓塞５０５を上記のスレードを利用して、連結装置１０３、１０４の末端の塞ぎ、そこにあるインスタント接続器を保護するのである。
【００２９】
連結装置１０４のインスタント接続器３１０１は、室内装置１０１から延伸してきた冷媒吸入線路３１０に接続する。連結装置１０４の通路は凝固水の水管の通路となり、室内装置１０１から凝固水を室外装置１０２に排出する。連結装置１０３の中には、室内装置１０１の蒸発器から延伸した毛細管３１２があり、連結装置１０３のインスタント接続器３１２１と接続している。そして室内装置１０１に属する制御部３０１の電気配線３１１は、連結装置１０３を経て、レセプ（receptacle）３１１１と接続していて、電気用のレセプ３１１１はまた連結装置１０３に固定されている。凡ゆる管路と線路の接続を完成するためには、室外装置１０２の冷媒吸入線路３１０３側にあるインスタント接続器３１０２と、連結装置１０４に固定されているインスタント接続器３１０１を接続し、更に室外装置の毛細管３１２３側にあるインスタント接続器３１２２と、連結装置１０３に固定されているインスタント接続器３１２１を接続し、最後に室外装置１０２の電気配線３１１３側の挿し込みプラグ３１１２を、連結装置１０３に取り付けたレセプ（receptacle）３１１１に挿し込めばよいのである。
【００３０】
図６は本考案に係る室内用空調装置の連結装置カフ部材の概略図である。このカフ（cuff）部材６００はプラスチック、またその他の適宜な材料で形成される。本考案に係る室内用空調装置を取り付けるとき、このカフ部材６００を壁１１に入れて、連結装置１０３、１０４が壁１１を貫通するのを助ける。カフ部材６００は１つの面板６０３と、２つの管状物６０１、６０２とからなる。管状物６０１、６０２は面板６０３上に垂直に固定され、両者間の距離は両連結装置１０３、１０４のと同じであり、その内部空間は、２つの連結装置１０３、１０４を容置するに足り、その長さは壁１１の厚みより大きい。二つの管状物６０１、６０２を壁１１内に入れ、連結装置をカフ部材６００に通せば室内、外両装置の組立は便利となる。カフ部材６００を壁１１に入れた場合、管状物６０１、６０２と壁１１の間の隙間は適当な材料で充填する。壁１１の厚さより大きい長さの両管状物６０１、６０２の壁１１より凸出した部分はこれを除去して、空調装置の取り付けのじゃまにならないよう注意する。カフ部材６００の取り付けが完了したら、連結装置１０３、１０４をカフ部材６００の管状物６０１、６０２内に挿し通す。
【００３１】
本考案に係る連結装置１０３、１０４の厚さ及び両者の間隔は、標準化されているので、カフ部材６００も標準化される。標準化されたカフ部材６００を、新建築物の壁１１内に予め取り付け、必要なときに空調装置を取り付ければ、一層便利である。連結装置のサイズは客室用と、寝室用の２つに分けられ、カフ部材６００のサイズもまた、同様に対応して分けられる。
【００３２】
図７の本考に係る室内用空調装置の加強された支持と連結図を参考して説明する。図中の室内装置１０１の背部面板は薄く、または非金属材で作られ（製造のコストと材料を節約するため）ているので、二つの連結装置１０３，１０４は先づケース７０１上に固定され（ケース７０１は支持力を加強する）、更に室内の各部品と組み合わせて室内装置１０１を構成する。この室内装置１０１の背部面板上には穴があり、室内装置１０１の冷媒線路、電気配線と冷結水を二つの連結装置１０３，１０４の中空通路に引導する。二つの連結装置１０３，１０４はさび難しい堅固な材料で作られ、冷媒線路のインスタント接続器や電気配線のコネクタは連結装置１０３，１０４の通路の端部に取り付ける。連結装置１０３，１０４の長さは９インチ程である（壁部１１の厚さと配合）。
【００３３】
本考案は、本考案の技術的思想から逸脱することなく、他の種々の形態で実施することができる。上述の実施例はあくまでも、本考案の技術精神を明らかにするものであって、そのような具体例のみに限定して、本考案を狭義に解釈するべきものではなく、本考案の精神と請求の範囲内で、いろいろと変更して実施することができるものである。
【符号の説明】
【００３４】
１０：室内用空気調節装置
１１：壁
１０１：室内装置
１０２：室内装置
１０３、１０４：連結装置
１０５１、１０５２、１０６１、１０６２、１０７１、１０７２：掛け穴
１０８、１０９：小さい螺孔
１１０：背部面板
３０１：制御部
３０２：蒸発器
３０３：圧縮機
３０４：凝縮器
３１０：冷媒吸入線路
３１０１、３１０２、３１２１、３１２２：インスタント接続器
３１０３：冷媒吸入線路
３１１、３１１３：電気配線
３１１１：電気用コネクタ
３１１２：プラグ  
３１２、３１２３：毛細管
３１３、３１４：ナット
３１５：室内装置の背部面板
３３０：着脱自在のハウジング
４０１：冷媒排出線路
５０５、６０４：円柱状栓
６００：カフ部材
６０１、６０２：管状物
６０３：面板
７０１：ケース
【図１Ａ】
0003150782.tif 000003
【図１Ｂ】
0003150782.tif 000004
【図２Ａ】
0003150782.tif 000005
【図２Ｂ】
0003150782.tif 000006
【図３】
0003150782.tif 000007
【図４】
0003150782.tif 000008
【図５】
0003150782.tif 000009
【図６】
0003150782.tif 000010
【図７】
0003150782.tif 000011
【手続補正書】
【提出日】平成21年3月31日(2009.3.31)
【手続補正１】
【補正対象書類名】実用新案登録請求の範囲
【補正対象項目名】請求項８
【補正方法】変更
【補正の内容】
【請求項８】
前記カフ部材は１つの面板と、数個の前記面板から伸出した管状構体を含み、前記複数の連結装置は前記管状構体より前記カフ部材を貫通し、前記室内装置と前記室外装置を連結して組立てる、請求項７に記載の室内用空気調節装置。